(57)【要約】【課題】  把持部材を備えるシャッターにおいて、シャッターの開閉が行われても、把持部材がシャッタードラムに巻き込まれることなく、かつシャッターボックス外に落下することもないシャッターを提供する。【解決手段】  一端側に把持部材１５０が取り付けられるとともに他端側は巾木１３０に直接又は間接に取り付けられた紐１４０を有し、把持部材をシャッターカーテン１２０に係止する係止手段を備えるとともに、シャッターボックス１０１のスラット引き込み部両端の少なくとも一端側に柔軟なヒレ部材２０４を備えたシャッター１００において、把持部材をスラットに係止した状態でスラットをシャッターボックス内のドラム１１０、１１１に巻き取ると、把持部材がシャッターボックス内に引き込まれて、ヒレ部材上に載置され、シャッターボックス外に落下することのないように構成する。【選択図】      図１
2006249778.tif 000002
【特許請求の範囲】
【請求項１】
一端側に把持部材が取り付けられるとともに他端側は巾木に直接又は間接に取り付けられた紐を有し、
前記把持部材をシャッターカーテンに係止する係止手段を備えるとともに、シャッターボックスのスラット引き込み部両端の少なくとも一端側に柔軟なヒレ部材を備えたシャッターであって、
前記把持部材を前記スラットに係止した状態で前記スラットをシャッターボックス内のドラムに巻き取ると、前記把持部材が前記ヒレ部材を乗り越えて前記シャッターボックス内に引き込まれるとともに前記スラットから離脱し、かつ、シャッターボックス外に落下することのないことを特徴とするシャッター。
【発明の詳細な説明】
【技術分野】
【０００１】
本発明は、シャッターに関する。
【背景技術】
【０００２】
住宅開口部の障子の室外側に従来の雨戸に代えて、シャッターが設置される例が増えている。雨戸の開閉を行うためには、通常複数の戸板を戸袋内と開口部との間をスライド移動させる必要があるので操作が煩雑である。これに対し、シャッターは、巾木（「座板」とも呼ばれる。）を持って、上方、あるいは下方に引き上げる又は引き下げる操作をするだけで開閉を行いうるため、操作性がよいものである。
【０００３】
通常閉鎖されたシャッターを開放状態にするには、地表部近くに位置する巾木を持って引き上げる必要があり、その操作をしようとするものはかがみこまなければならない。一方、開放状態のシャッターを閉鎖しようとする場合、巾木は開口部の最上部近傍に位置しているため、その操作をしようとするものの手が巾木に届かない場合がある。そのような場合のために専用治具を設け、巾木に設けた孔に該専用治具の先を引っ掛けてシャッターを引き下ろすことも行われていた。
【０００４】
さらには、上記のように、かがみこんだり、専用治具を使用したりする必要がない方法として、図５に示すようなマグネットを利用した操作紐によりシャッターの開閉を行っている例もある。
【０００５】
図５（Ａ）は、開口部がシャッター４０により閉鎖されている状態を示す室外側からの正面図である。シャッターカーテン４１は、多数のスラット４４、４４、４４、…が組み合わされて形成されている。図５（Ａ）では、シャッターカーテン４１は、シャッターボックス４２から引き出されている。図示の閉鎖状態ではシャッターカーテン４１の先端に取り付けられている巾木４３は足元まで引き下ろされている。一方、図５（Ｂ）は、シャッターカーテン４１がシャッターボックス４２内に巻き取られており、開口部が開放された状態を示す室外側からの正面図である。図５（Ｂ）の開放状態においては、巾木４３はシャッターボックス４２の下面近傍に位置している。
【０００６】
図５（Ａ）において、巾木４３の中央部近傍には紐４５が取り付けられている。紐４５の他端側には把持部４６が取り付けられている。紐４５は、柔軟かつ実質的に伸縮しない材料、例えば布製のロープで形成されている。一方、把持部材４６は、例えば長円平板形状のプラスチックで形成されており、その内部にはマグネットが配設されている。シャッターカーテン４１を形成するスラット４４、４４、４４、…は、薄手の鋼板により形成されており、把持部材４６は内蔵されているマグネットによって、スラット４４、４４、４４、…の表面に固定することが可能である。
【０００７】
図５（Ａ）のシャッター閉鎖状態にするときに、使用者はマグネットを内蔵した把持部材４６を、地上から例えば４０〜６０ｃｍ程度の高さのスラット４４上に仮固定しておく。シャッター４０を開けるには、手元高さ近くに仮固定されている把持部材４６を持って、シャッターカーテン４１を引き上げればよく、巾木４３を持つためにかがみこむ必要ない。
【０００８】
また、シャッターカーテン４１を開放状態から引き下ろすには、図５（Ｂ）にあるように、巾木４３から垂下している紐４５の下端に固定されている把持部材４６を持って、巾木４３を引き降ろせば足り、上記したような専用治具を使用する必要がない。
【０００９】
しかし、例えばシャッター４０を途中まで開けた状態で、把持部材４６をスラット４４につけたまま、巾木を持って勢い良くシャッター全開状態にしようとすると、把持部材４６をつけたままシャッターカーテン４１がシャッターボックス４２内に引き込まれ、シャッターボックス４２内のドラムに巻回されたスラット４４の内部側に巻き込まれてしまうと、巻回されたスラット４４、４４の二層間に厚さのある把持部４６が挟まれてしまうため、通常薄手の鋼板により形成されているスラット４４、４４が変形してしまうという問題がある。
【００１０】
かかる問題に対して特許文献１には、磁石付きの把持部材がシャッター板（スラット）に吸着したままの状態で誤ってシャッターボックス内に巻き取られてしまうのを防止するために、シャッターボックスには巻き取られるシャッター板（スラット）から磁石付きの把持部材を払い落とす手段例えば邪魔板が設けられているか、もしくは自動的に落ちる手段を設けることが好ましいことが開示されている。
【特許文献１】特開２００１−３１１３４１号公報
【発明の開示】
【発明が解決しようとする課題】
【００１１】
しかし特許文献１のように、把持部材がシャッターボックスから落下すると、把持部材がシャッターを操作する者の頭上に落下して、思わぬけがをするおそれがある。
【００１２】
そこで、本発明は、把持部材を備えるシャッターにおいて、シャッターの開閉が行われても、把持部材がシャッタードラムに巻き込まれることなく、かつシャッターボックス外に落下することもないシャッターを提供することを課題とする。
【課題を解決するための手段】
【００１３】
以下、本発明について説明する。なお、本発明の理解を容易にするために添付図面の参照符号を括弧書きにて付記するが、それにより本発明が図示の形態に限定されるものではない。
【００１４】
請求項１に記載の発明は、一端側に把持部材（１５０）が取り付けられるとともに他端側は巾木（１３０）に直接又は間接に取り付けられた紐（１４０）を有し、把持部材をシャッターカーテン（１２０）に係止する係止手段（１５１、１２０）を備えるとともに、シャッターボックス（１０１）のスラット引き込み部両端の少なくとも一端側に柔軟なヒレ部材（２０４）を備えたシャッター（１００）であって、把持部材をスラットに係止した状態でスラットをシャッターボックス内のドラム（１１０、１１１）に巻き取ると、把持部材がヒレ部材を乗り越えてシャッターボックス内に引き込まれるとともに、スラットから離脱し、かつ、シャッターボックス外に落下することのないことを特徴とするシャッターにより前記課題を解決する。ここに、「スラットから離脱」した状態とは、把持部材がシャッタードラム巻回部に巻き込まれずに、シャッターボックス内に落下して、例えばヒレ部材上、あるいは該シャッターが取り付けられている開口部の上枠上に載っている状態を言う。また、「係止手段」は、例えばスラットを普通鋼板やステンレス鋼板にて形成し、把持部材をマグネットにより形成する手段、スラットと把持部材とにメカニカルファスナー（マジックテープ、ベルクロ、これらは登録商標である。）を取り付ける手段、あるいはスラットと把持部材のいずれか、又は両者に粘着剤を配置する手段等を挙げることができる。
【発明の効果】
【００１５】
請求項１の発明によれば、スラットをシャッターボックス内のドラムに巻き取る際に把持部材がシャッターボックス外に落下することがないので、シャッターを操作する者に危険が及ぶことがない安全なシャッターを提供することができる。また、スラットをシャッターボックス内のドラムに巻き取る際に、厚さのある把持部材が巻回部に巻き込まれることがないので、スラットの変形を防止することができる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、建物の開口部装置に取り付けられた本発明の一実施形態にかかるシャッターを示す垂直断面図である。図１において図面左側が室外側、右側が室内側である。図示のシャッター１００は、開口部装置２００の上部に取り付けられている。開口部装置２００は、引き違い戸として構成されており、上下の上枠２０１、及び下枠２０２の間に、室内側から内障子２１０、外障子２２０、及び網戸２３０がこの順に配置されている。これら内障子２１０、外障子２２０、及び網戸２３０は、それぞれの下部に設けられた戸車２１２、２２２、２３２が、下枠２０２の上面側に設けられたレール２１１、２２１、２３１上を転動することにより、紙面の手前、奥方向に移動して、上記開口部の開閉が行われる。網戸２３０のさらに室外側には、後述するシャッターカーテンの上下動を許容する空間が設けられている。
【００１９】
上枠２０１の上面側にはシャッターボックス１０１が配置されている。シャッターボックス１０１の背面側立面１０１Ａには固定部材１０２、１０３が取り付けられ、さらにこれら固定部材１０２、１０３は、ネジ１０２Ａ、１０３Ａにより建物本体に固定されている。シャッターボックス１０１の中央近傍には、建物壁面と平行かつ水平に、シャフト１０５に取り付けられている。さらにシャフト１０５には、複数の短円筒状のドラム１１０、１１１、…が、紙面手前から奥方向に略等間隔に取り付けられている。ドラム１１０、１１１、…は、不図示の弾性部材により付勢されることにより、シャッターカーテン１２０を巻き取り可能に構成されている。弾性部材の一端はドラム１１０、１１１、…に、他端はシャフト１０５に取り付けられている。
【００２０】
シャッターカーテン１２０は公知のごとく、水平に配置された多数のスラット１２１、１２１、１２１、…が組み合わされて形成されている。個々のスラット１２１は薄手の鋼板により形成されている。個々のスラット１２１は基本的に変形しないが、スラット同士の結合部に自由度があり、二枚のスラット１２１、１２１の間では所定の屈曲が許容されている。このような構成によりシャッターカーテン１２０はドラム１１０、１１１、…に巻き取られることができる。
【００２１】
シャッターカーテン１２０の下端には巾木１３０が取り付けられている。なお図１では、よりよい理解を得るために、シャッターカーテン１２０を引き上げた状態（開放位置）での巾木１３０Ａと、シャッターカーテン１２０を引き降ろした状態（閉鎖位置）での巾木１３０Ｂとを同時に示している。
【００２２】
引き上げられた位置にある巾木１３０Ａの室内側面には操作紐取り付けピース１３５（図２参照）を介して、紐１４０の一端側が取り付けられている。紐１４０の他端側には把持部材１５０が取り付けられている。把持部材１５０にはマグネット１５１（図２参照）が内蔵されている。紐１４０は把持部材１５０の自重により巾木１３０から下方に垂下している。
【００２３】
一方、引き下げられた位置にある巾木１３０Ｂでは、把持部材１５０は、使用者によりシャッターカーテン１２０を構成するスラット１２１の室内側の面にマグネット１５１を利用して所定高さの位置に仮固定される。これら紐１４０と把持部材１５０との働きは、図５において既に説明したものと同様である。
【００２４】
図２は把持部材１５０と紐１４０とを示す図である。図２（Ａ）では、操作紐取り付けピース１３５に一端側が取り付けられた紐１４０が巾木１３０から垂下して、他端側に把持部材１５０が取り付けられている様子が表されている。図２（Ｂ）において、上段が把持部材１５０の上面図、中段は正面図、下段は下面図である。把持部材１５０は、本実施形態では合成樹脂の成型材であり、ヒケ防止のため肉抜き部１５２、１５２、…が上下方向に４箇所設けられている。把持部材１５０の下面側にはマグネット１５１が埋め込まれている。
【００２５】
図３は、図１において楕円形の破線に囲まれた範囲を拡大して表しており、シャッターボックス１０１のスラット引き込み部を拡大して示す図である。該引き込み部は室外側上枠２０１Ａと室内側上枠２０１Ｂとの間の隙間、すなわち図３において「Ｘ」で表されている水平方向の間隔を持っている。さらに、室外側上枠２０１Ａから室内側に向けてモヘア２０３が取り付けられるとともに、室内側上枠２０１Ｂから室外側に向けて、ゴム製のヒレ部材２０４が配されている。モヘア２０３は、シャッターボックス１０１内に塵埃等侵入するのを防止している。一方、ヒレ部材２０４は上方からの水滴の落下方向を規制している。本発明のシャッター１００において、巾木１３０を引き上げると、把持部材１５０はシャッターボックス１０１のスラット引き込み部からシャッターボックス１０１内に引き込まれる。所定の条件のもとでは、ヒレ部材２０４に動作の規制を受けて、スラット１２１から離脱しその場でヒレ部材２０４上に乗り上げる。また他の所定条件のもとでは、ドラム巻回部入り口の楔状の部分で把持部材１５０はスラット１２１から離脱し、ヒレ部材２０４あるいは上枠２０１Ａ、２０１Ｂ上に落下してそこにとどまる。
【００２６】
図４はかかる状況におけるシャッター１００を表している。
【００２７】
モヘア２０３の先端とヒレ部材２０４の先端との間には図３において「Ｙ」で表されている水平方向の間隔が設定されている。したがって、把持部材１５０の大きさがＸ（厳密にはＸからスラット１２１の厚みを差し引いた長さ）以上あれば、引き込み部において剛体である室外側上枠２０１Ａと室内側上枠２０１Ｂとによりシャッターボックス１０１内への移動が規制されて、シャッターボックス１０１外へと落下してしまう。一方、把持部材１５０の大きさがＹ（厳密にはＹからスラット１２１の厚みを差し引いた長さ）未満であれば、把持部材１５０はシャッターボックス１０１内に引き込まれることが多くなる。
【００２８】
把持部材１５０の大きさは、機能上、把持部材として人の手に収まる大きさであることが好ましい。一方でシャッターボックス１０１のドラム１１０への巻き込みを防止するためには上記したように把持部材１５０の大きさをＹより大とすることが好ましい。把持部材１５０の大きさをＸとＹとの中間の大きさとした場合、把持部材１５０がシャッターボックス１０１内に引き込まれるかどうかは、モヘア２０３、ヒレ部材２０４の弾性（剛性や硬さ）、及び向きと、把持部材１５０の大きさ、形状、マグネットのスラット鋼板への吸着力、及び自重とのバランスにより決定される。したがって、これら諸特性を勘案の上、把持部材１５０がシャッターボックス１０１内に引き込まれるように、その大きさ、形状、マグネットの特性、及び自重等決定するとよい。
【００２９】
把持部材１５０の形状は、人の手でつかむことを考慮した場合、球形、楕円球形等であることが好ましい。このようにすることにより、把持部材１５０がドラム巻回部入り口の楔状部分でスラット１２１から外れて巻回部に巻き込まれず、ボックス内のヒレ部材２０４上、あるいは上枠２０１Ａ、２０１Ｂ上に落下することが可能になる。なお、この場合には把持部材１５０Ａは、シャッターカーテン１２０を引き上げる際に、モヘア２０３とヒレ部材２０４との間の隙間を通り抜けてシャッターボックス１０１内に引き込まれたものの、巻回部には巻き込まれないため、スラット１２１の変形が防止される。スラット１２１から外れて巻回部から落下した把持部材１５０は、ヒレ部材２０４上、あるいは上枠２０１Ａ、２０１Ｂ上に載っており、再びシャッターを閉めるために巾木１３０Ａを引き下げてゆくと、紐１４０に下方から引っ張られ、モヘア２０３とヒレ部材２０４との間の隙間を下方に通り抜けてシャッターボックス１０１内から外部へと脱出する。
【００３０】
把持部材１５０の自重は小さいほど好ましい。このような条件を満たす把持部材１５０の材料として、ポリプロピレンやポリウレタン等合成樹脂が挙げられる。また、必要により発泡材や、天然木を利用してもよい。
【００３１】
以上説明したように、本発明のシャッターは、スラット１２１をシャッターボックス１０１内のドラム１１０、１１１、…に巻き取る際に把持部材１５０がスラット１２１ともにドラム１１０、１１１、…周囲の巻回部に巻き込まれることがなく、かつ、シャッターボックス１０１外に落下することもない。巾木１３０の下方には紐１４０が垂下されるので、紐１４０により直接、あるいは紐１４０により把持部材１５０をシャッターボックス１０１内から引き出して、容易にシャッターカーテン１２０を降ろすことができる。また、把持部材１５０が巻回部に巻き込まれることがないので、スラット１２１の変形を防止することができる。
【００３２】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴うシャッターもまた本発明の技術的範囲に包含されるものとして理解されなければならない。
【図面の簡単な説明】
【００３３】
【図１】開口部装置に取り付けられたシャッターを示す垂直断面図である。
【図２】把持部材と紐を示す図である。
【図３】シャッターボックスのスラット引き込み部を拡大して示す図である。
【図４】シャッターの開閉と、紐及び把持部材の働きを示す図である。
【図５】把持部材がシャッターボックス内にある状態のシャッターを示す正面図である。  シャッターの開閉と、紐及び把持部材の働きを示す図である。
【符号の説明】
【００３４】
１００  シャッター
１０１  シャッターボックス
１０１Ａ  立面
１０２、１０３  固定部材
１０２Ａ、１０３Ａ  ネジ
１０５  シャフト
１１０、１１１、…  ドラム
１２０  シャッターカーテン
１２１、１２１、…  スラット
１３０、１３０Ａ、１３０Ｂ  巾木
１３５  操作紐取り付けピース
１４０  紐
１５０  把持部材
１５１  マグネット
２００  開口部装置
２０１  上枠
２０１Ａ  室外側上枠
２０１Ｂ  室内側上枠
２０２  下枠
２０３  モヘア
２０４  ヒレ部材
２１０  内障子
２１１  レール
２１２  戸車
２２０  外障子
２２１  レール
２２２  戸車
２３０  網戸
２３１  レール
２３２  戸車
【図１】
2006249778.tif 000003
【図２】
2006249778.tif 000004
【図３】
2006249778.tif 000005
【図４】
2006249778.tif 000006
【図５】
2006249778.tif 000007